(57)【特許請求の範囲】
【請求項１】
熱変色性インキを用いて紙面上に形成した熱変色性の筆跡を摩擦し、その際に生じる摩擦熱で前記熱変色性の筆跡を熱変色可能な弾性材料から成る摩擦体をケース体で保持させた摩擦具であって、前記摩擦体を表面部と裏面部とが近設する扁平形状に形成し、前記ケース体を表面壁と裏面壁とが連接部にて連接するよう形成し、
前記ケース体の一端側における表面壁と裏面壁とに円形状の貫通孔を形成し、
前記摩擦体の一端側における表面部と裏面部とに前記貫通孔に合致する突部を形成し、
前記ケース体の貫通孔に前記摩擦体の突部を嵌着させて軸部をなし、
前記摩擦体を前記ケース体に、当該摩擦体の一端側と当該ケース体の一端側とを連接する前記軸部で軸支させて収容し、前記摩擦体を前記軸部を支点に回動させることにより、当該摩擦体の他端側を当該ケース体から繰り出して摩擦部とする構造の摩擦具。
【請求項２】
前記ケース体の貫通孔より前記摩擦体の突部を露出させ、前記突部を回転させることにより前記摩擦体を回動可能にした請求項１に記載の摩擦具。
【請求項３】
前記摩擦体の摩擦部を他端側へ向かって漸次肉薄となるよう先端を尖頭形状に形成した請
求項１または２に記載の摩擦具。
【請求項４】
前記ケース体の表面壁と裏面壁とに切欠部を形成した請求項１ないし３のいずれかに記載の摩擦具。
【発明の詳細な説明】
【技術分野】
【０００１】
本発明は摩擦具に関する。詳細には、紙面上の熱変色性インキによる筆跡を摩擦しその際に生じる摩擦熱で前記熱変色性インキの筆跡を熱変色可能な摩擦体を備えた摩擦具に関する。
【背景技術】
【０００２】
従来、可逆熱変色性インキを用いて形成された筆跡を、摩擦熱により第１状態から第２状態に変色させる弾性を有する摩擦体として、例えば特許文献１、特許文献２がある。
【０００３】
【特許文献１】特開２００４−１４８７４４号公報
【特許文献２】特開２００９−１２６１０２号公報
【発明の概要】
【発明が解決しようとする課題】
【０００４】
前記特許文献１に記載されているような摩擦体では、一般的に断面形状が円形状や四角形状であり、先端部や縁端部や角部を使用することで、紙面上の熱変色性インキによる筆跡の狭い面積を熱変色させることは考えられていたものの、広い面積の筆跡を熱変色させることについては考えられておらず、特許文献１に記載されているような小さな摩擦体を摩擦しながら徐々に移動させて、広い面積を摩擦していくという作業を行う必要があり、大変であった。尚、広い面積を熱変色させる場合にはドライヤーの熱風が利用されることもあるが、ドライヤーの熱風は紙に当たった際に広がってしまうことから、狙った箇所だけを熱変色させることが困難であった。
【０００５】
また、摩擦体には、筆箱などに収容した状態で汚れてしまうことを防止する構造が求められており、摩擦体をキャップの頂部に収容して、摩擦体が必要な時にキャップの頂部から突出させて使用する構造が前記特許文献２で開示されている。しかしキャップという小さな部品に摩擦体を収容しなければならないことから、摩擦体の大きさが限られており、広い面積の筆跡を熱変色させる摩擦体をキャップに装着することは困難であった。尚、摩擦体を単純に大きく形成して広い面積を摩擦できることを可能にした場合には、摩擦体をケース体に収めることが考えつくが、摩擦体が弾性材料からなることから、滑り性が悪く、収容状態にある摩擦体をケース体から出し入れする際の操作性が問題視されている。
【０００６】
本発明は、前記従来の問題点を解決するものであって、紙面上の熱変色性インキによる筆跡の広い面積における狙った箇所だけを熱変色させることができ、また摩擦体の摩擦部が汚れてしまうことを防ぐことができる摩擦具を提供しようとするものである。
【課題を解決するための手段】
【０００７】
本発明は、
「１．熱変色性インキを用いて紙面上に形成した熱変色性の筆跡を摩擦し、その際に生じる摩擦熱で前記熱変色性の筆跡を熱変色可能な弾性材料から成る摩擦体をケース体で保持させた摩擦具であって、前記摩擦体を表面部と裏面部とが近設する扁平形状に形成し、前記ケース体を表面壁と裏面壁とが連接部にて連接するよう形成し、
前記ケース体の一端側における表面壁と裏面壁とに円形状の貫通孔を形成し、
前記摩擦体の一端側における表面部と裏面部とに前記貫通孔に合致する突部を形成し、
前記ケース体の貫通孔に前記摩擦体の突部を嵌着させて軸部をなし、
前記摩擦体を前記ケース体に、当該摩擦体の一端側と当該ケース体の一端側とを連接する前記軸部で軸支させて収容し、前記摩擦体を前記軸部を支点に回動させることにより、当該摩擦体の他端側を当該ケース体から繰り出して摩擦部とする構造の摩擦具。
２．前記ケース体の貫通孔より前記摩擦体の突部を露出させ、前記突部を回転させることにより前記摩擦体を回動可能にした前記１項に記載の摩擦具。
３．前記摩擦体の摩擦部を他端側へ向かって漸次肉薄となるよう先端を尖頭形状に形成した前記１項または２項に記載の摩擦具。
４．前記ケース体の表面壁と裏面壁とに切欠部を形成した前記１項ないし３項のいずれかに記載の摩擦具。」である。
【０００８】
本発明で、摩擦体を構成する弾性材料は、弾性を有する樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦体を構成する弾性材料は、高摩耗性の弾性材料（例えば、消しゴム等）ではなく、摩擦時に消しカスが生じない低摩耗性の弾性材料から成ることが好ましい。
【０００９】
本発明で、ケース体を構成する材料は、樹脂や金属が挙げられ、特にＡＢＳ樹脂（アクリロニトリル−ブタジエン−スチレン共重合体）、ＰＰ樹脂（ポリプロピレン）、ＰＯＭ樹脂（ポリオキシメチレン）、ＰＣ樹脂（ポリカーボネート）、ＰＳ樹脂（ポリスチレン）、ＰＥＴ樹脂（ポリエチレンテレフタレート）などのように滑り性のよい材料を選定することにより、弾性材料から成る摩擦体とケース体の摺動性がよくなり、摩擦体の表面とケース体の裏面とが接触していても、回動がしやすく、ケース体からの摩擦体の出し入れが容易となる。
【００１０】
摩擦体の形状は、平面視において矩形形状や楕円形状や長円形状や卵形状など、一端側と他端側との方向に長手方向を有する形状であればよい。ケース体の形状は、摩擦体の形状に合わせた形状でも異なる形状でもよいが、少なくとも摩擦部となる摩擦体の他端側をケース体で被覆して、摩擦部の汚れを防止できる形状にすることが肝要である。またケース体の表面壁と裏面壁とを連接する連接部は、軸部を支点に摩擦体を回動させる際に、摩擦体がケース体から繰り出せるように開放部を設ける必要がある。さらに好ましくは、開放部をケース体の他端側から一端側に渡って設けることにより、収容された状態においてケース体の他端側に位置する摩擦体の摩擦部を、ケース体の一端側まで回動させ、摩擦具全体を長くして握りやすくさせることが可能となる。また連接部は、表面壁および裏面壁の外縁に垂設した壁形状に形成したり、表面壁と裏面壁との空間をつなぐ柱形状に形成することができる。また、ケース体に摩擦体を軸支する軸部は、ケース体の内面に貫通孔や凹部を形成して摩擦体の外面に形成した突部を挿着したり、反対にケース体の内面に突部を形成して摩擦体の外面に形成した貫通孔や凹部に挿着したり、あるいは別の軸部材をケース体および摩擦体に対して抜け止め状態に挿着してもよいが、軸部がケース体と摩擦体とを固着することなく、摩擦体が軸部を支点に回動できるようにする必要がある。
【００１１】
また、摩擦体の摩擦部を、他端側へ向かって漸次肉薄となる尖頭形状に形成にすることで、摩擦部の先端が見やすくなると共に、先端に力が集中し、目的とする部分の摩擦が行いやすくなってよい。この場合、摩擦体の外面とケース体の内面との間に隙間部が生じるため、摩擦体とケース体との摺動抵抗が軽減して摩擦体の回動時における操作性が向上する。尚、尖頭形状の傾斜角度は、摩擦体を形成する材料の硬さや摩擦部の形状や寸法により適宜設定すればよいが、先端が薄くなり過ぎると摩擦時に摩擦部が過度に変形して摩擦が行い難くなる。
【００１２】
また、ケース体の表面壁と裏面壁とに切欠部を形成する場合には、表面壁と裏面壁の同位置に指で摩擦体に触れることができる切欠部を設け、摩擦体を摘みやすくすることが好ましい。
【００１３】
また、ケース体の一端側における表面壁と裏面壁とに円形状の貫通孔を形成し、摩擦体の一端側における表面部と裏面部とに貫通孔に合致する突部を形成し、ケース体の貫通孔に摩擦体の突部を嵌着させて軸部とした場合には、摩擦体の摩擦抵抗で、ケース体に対して摩擦体が不用意に回動しないようにすることができる。また、貫通孔に対して突部を大きく形成して密嵌させる構造とすることで、ケース体に対して摩擦体の回動を抑制して保持力を向上させることができる。この場合の弾性体には、貫通孔との接触で削れてしまわないように、低摩耗性の弾性材料で成形することが特に重要である。
【００１４】
また、ケース体の貫通孔より摩擦体の突部を露出させ、突部を回転させることにより摩擦体を回動可能にすることで、摩擦体がケース体から繰り出しやすくなり、また使用時に摩擦体の突部を指で把持して摩擦することができるので、摩擦体の摩擦部に直接力を加えることが可能となり、また力を入れて摩擦を行う際においても、ケース体から繰り出した摩擦体が不用意に回動してしまうことや、過度な負荷によりケース体が破損してしまうことを防止することができる。尚、摩擦体の突部は、指で触れて力を入れることできる大きさにする必要があり、具体的には摩擦体の突部およびケース体の貫通孔の直径を２０ｍｍ以上にすることが好ましい。
【発明の効果】
【００１５】
本発明の摩擦具によれば、紙面上の熱変色性インキによる筆跡の広い面積における狙った箇所だけを熱変色させることができ、また摩擦体の摩擦部が汚れてしまうことを防ぐことができる。
【図面の簡単な説明】
【００１６】
【図１】図１は摩擦体をケース体に収容した状態の摩擦具である。
【図２】図２は摩擦具における分解図である。
【図３】図３は摩擦具の組立状態を示す図である。
【図４】図４は摩擦具を使用状態にする時の図である。
【図５】図５は摩擦具の使用状態を示す図である。
【発明を実施するための形態】
【００１７】
以下、図面を参照して本発明における摩擦具の実施例について説明を行う。尚、説明を分かりやすくするために、図面中の同様の部材、同様の部分については同じ番号を付してある。
【００１８】
図１から図３を用いて本実施例の摩擦具の構造について説明を行う。摩擦具１は摩擦体２とケース体３とで構成しており、摩擦体２は、表面部２ａと裏面部２ｂとが近接する扁平形状に形成してあり、平面視における一端部２ｃの曲率半径が他端部２ｄ側の曲率半径より大きい卵形状に側面部２ｅを形成してあり、一端部２ｃ側の表面部２ａと裏面部２ｂとに円形状の突部２ｆと突部２ｇとを形成してある。また摩擦体２は、他端部２ｄ側へ向かって漸次肉薄となるように形成してあり、摩擦部２ｈを尖頭形状に形成してある。
【００１９】
また、ケース体３は、表面壁３ａおよび裏面壁３ｂの周囲部を、摩擦体２と同様に一端部３ｃの曲率半径が他端部３ｄ側の曲率半径より大きい卵形状に形成してあり、外形を前記摩擦体２の外形より大きく形成してある。尚、表面壁３ａおよび裏面壁３ｂとの間は、表面壁３ａおよび裏面壁３ｂに垂設した連接壁３ｅで連接してあり、連接壁３ｅはケース体３の他端部３ｄ側から一端部３ｃ側へ向かって形成され、一端部３ｃ側は開放してある。また、ケース体３の一端部３ｃ側には、前記摩擦体２の突部２ｆ，２ｇに合致する円形状の貫通孔３ｆ，３ｇを設けてあり、表面壁３ａおよび裏面壁３ｂの他端部３ｄ側における連接壁３ｅの反対側には、半円状の切欠部３ｈ，３ｉを設けてある。
【００２０】
図３は、摩擦体２とケース体３とで摩擦具１を組み立てている状態を示しており、摩擦体２の他端部２ｃ側を、ケース体３の連接壁３ｅの反対側に位置する開放部３ｊ側から装着する状態を示している。本実施例のケース体３はポリプロピレン樹脂で形成してあり、摩擦体２はポリエステル系エラストマーで形成してあり、組み立てた状態において、摩擦体２の他端部２ｃ側の表面壁３ａおよび裏面壁３ｂが、ケース体３の表面壁３ａおよび裏面壁３ｂに接する寸法で形成してあることから、摩擦体２の突部２ｆ，２ｇで、ケース体３の表面壁３ａと裏面壁３ｂとの間隔を拡げるようにして装着させる。また、摩擦体２の突部２ｆ，２ｇを直径２０ｍｍで形成してあり、同様にケース体３の貫通孔３ｆ，３ｇを直径２０ｍｍで形成してあることから、突部２ｆ，２ｇを貫通孔３ｆ，３ｇに密嵌させた状態で、図１に示したように摩擦体２をケース体３に収容させることができる。尚、弾性体である突部２ｆ，２ｇが貫通孔３ｆ，３ｇに対して密嵌することから、摩擦具１の携行時における振動や衝撃などで勝手に摩擦体２がケース体３に対して回動してしまうことを防止できる。
【００２１】
次に、図４および図５を用いて、摩擦具１を使用状態とする際の動きについて説明を行う。本実施例の摩擦具１は、ケース体３に収容された状態（図１参照）の摩擦体２を、図４に示すように摩擦体２の突部２ｆ，２ｇを指で回転させて、図５に示すようにケース体３から摩擦体２の摩擦部２ｈを繰り出すことができる。この時、摩擦体２は、表面部２ａと裏面部２ｂとが他端部２ｄ側へ向かって漸次肉薄となるように形成されていることから、摩擦体２は、一端部２ａ側となる突部２ｆ，２ｇの周辺のみがケース体３の内面に対して接触することとなり、少ない抵抗感で摩擦体２を回動させることができた。
【００２２】
本実施例の摩擦具１は、前述の通り突部２ｆ，２ｇを回転させることにより他端部２ｄ側の摩擦部２ｈを繰り出すことができ、また、切欠部３ｈ，３ｉから露出した摩擦体２の表面部２ａおよび裏面部２ｂを摘んで引っ張ることでも他端部２ｄ側の摩擦部２ｈを繰り出すことができる。尚、ケース体３が、他端部３ｄ側の半分の位置から一端部３ｃ側まで開放部３ｊを設けてあることから、摩擦体２は、他端部側２ｄがケース体３の一端部３ｃ側まで１８０度の反対方向へ回動させることができ、図５に示すように摩擦具１の全体の長さを長くして握りやすい状態にすることができた。また、摩擦体２の突部２ｆ，２ｇを直径２０ｍｍで形成してあることから、突部２ｆ，２ｇを指で摘むことができ、紙面を強く摩擦する際には、摩擦体２の突部２ｆ，２ｇを摘んで紙面に接触している摩擦部２ｈへ直接力を入れることができる。
【産業上の利用可能性】
【００２３】
本発明の摩擦具は、熱変色性インキを用いて紙面上に形成した熱変色性の筆跡を摩擦する以外にも、熱変色性インキが予め紙面等の上に印刷や塗装されたものの摩擦にも使用することができる。
【符号の説明】
【００２４】
１…摩擦具、
２…摩擦体、
２ａ…表面部、２ｂ…裏面部、２ｃ…一端部、２ｄ…他端部、
２ｅ…側面部、２ｆ…突部、２ｇ…突部、２ｈ…摩擦部、
３…ケース体、
３ａ…表面壁、３ｂ…裏面壁、
３ｃ…一端部、３ｄ…他端部、３ｅ…連接壁、
３ｆ…貫通孔、３ｇ…貫通孔、３ｈ…切欠部、３ｉ…切欠部、
３ｊ…開放部。
【図１】
0005936920.tif 000002
【図２】
0005936920.tif 000003
【図３】
0005936920.tif 000004
【図４】
0005936920.tif 000005
【図５】
0005936920.tif 000006